(57)【要約】【課題】枠体内の制御基板が熱のために故障してしまうのを防止できる燃焼装置を提供する。【解決手段】  枠体４１内にバーナ部２と、缶体１と、枠体４１内の温度を検知する機内温度検知センサ４０と、制御基板４３と、該制御基板４３の近傍に設けられた基板雰囲気温度検知センサ４４と、換気扇４２とを備え、機内温度検知センサ４０の検知する温度により換気扇４２を動作させて機内冷却運転を行なうと共に、基板雰囲気温度検知センサ４４が検知する温度が所定温度以上の時、異常が発生していると判断するので、機内温度検知センサ４０が故障しても基板雰囲気温度検知センサ４４が制御基板４３の周辺温度を検知して異常が発生していると判断するので、機内温度検知センサ４０が故障しても制御基板４３が熱で故障するのを防止できるものである。【選択図】  図２
2019052813.tif 000002
【特許請求の範囲】
【請求項１】
バーナ部と、該バーナ部の燃焼で内方の熱媒体が加熱される缶体と、前記バーナ部と缶体とを内部に設けた枠体と、該枠体内の温度を検知する機内温度検知センサと、枠体内に設けられた制御基板と、該制御基板の近傍に設けられ、制御基板周辺の空気の温度を検知する基板雰囲気温度検知センサと、前記枠体内の空気を換気する換気扇とを備えた燃焼装置に於いて、前記制御基板は、前記機内温度検知センサの検知する温度により前記換気扇を動作させて機内冷却運転を行なうと共に、前記基板雰囲気温度検知センサが検知する温度が所定温度以上の時、異常が発生していると判断することを特徴とする燃焼装置。
【請求項２】
前記制御基板は、バーナ部の燃焼で内方の熱媒体を当初設定されている目標沸き上げ温度まで加熱すると共に、前記基板雰囲気温度検知センサが検知する温度が所定温度以上の時、目標沸き上げ温度を当初設定されている温度より低い温度に再設定することを特徴とする請求項１記載の燃焼装置。
【請求項３】
前記制御基板は、目標沸き上げ温度を再設定後、前記基板雰囲気温度検知センサが検知する温度が所定温度以上の時、換気扇が故障していると判断して運転を停止し、異常を報知することを特徴とする請求項２記載の燃焼装置。
【発明の詳細な説明】
【技術分野】
【０００１】
本発明は、内方の熱媒体が加熱される缶体を備えた燃焼装置に関するものである。
【背景技術】
【０００２】
従来、この種のものに於いては、暖房用の熱媒体が貯溜された缶体内に、給湯用熱交換器や風呂用熱交換器を備え、暖房、給湯、風呂の追い炊きや保温をそれぞれ良好に行うものであった。（例えば、特許文献１参照。）
【０００３】
又、熱交換器のフィン詰まりなどの異常が発生すると、枠体の内部の空気の温度が上昇していき、枠体の内部に収容された基板からなる制御装置などの構成部品が高温に曝されることになので、枠体の内部の空気の温度を検出する機内温度センサを設け、バーナが燃焼しており、給気ファンが駆動しており、循環ポンプが駆動しており、かつ機内温度サーミスタで検出される温度が上限温度を超えると、バーナの燃焼を停止し、給気ファンを駆動し、循環ポンプを駆動する機内冷却運転を実行するものがあった。（例えば、特許文献２参照。）
【先行技術文献】
【特許文献】
【０００４】
【特許文献１】特開２００１−６５８８４号
【特許文献２】特開２０１６−１１８３２１号
【発明の概要】
【発明が解決しようとする課題】
【０００５】
ところで、この従来のものでは、機内温度サーミスタで検出される温度が上限温度を超えると、給気ファンを駆動して機内冷却運転を実行していたが、缶体内に高温の熱媒体やお湯を貯湯し、その高温の熱媒体やお湯と熱交換する熱交換器を缶体内に設けて給湯や暖房や風呂の追い焚きを行なうものでは、枠体の内部の冷却のための換気ファンを設けて、機内冷却運転を実行するものがあるが、この場合、換気ファンが故障していてもそれを検知できず、枠体内の温度が上昇して高温となり、枠体内の制御基板がその熱のために故障してしまうという問題があった。
【課題を解決するための手段】
【０００６】
上記課題を解決するために、本発明の請求項１では、バーナ部と、該バーナ部の燃焼で内方の熱媒体が加熱される缶体と、前記バーナ部と缶体とを内部に設けた枠体と、該枠体内の温度を検知する機内温度検知センサと、枠体内に設けられた制御基板と、該制御基板の近傍に設けられ、制御基板周辺の空気の温度を検知する基板雰囲気温度検知センサと、前記枠体内の空気を換気する換気扇とを備えた燃焼装置に於いて、前記制御基板は、前記機内温度検知センサの検知する温度により前記換気扇を動作させて機内冷却運転を行なうと共に、前記基板雰囲気温度検知センサが検知する温度が所定温度以上の時、異常が発生していると判断することを特徴とするものである。
【０００７】
また、請求項２では、前記制御基板は、バーナ部の燃焼で内方の熱媒体を当初設定されている目標沸き上げ温度まで加熱すると共に、前記基板雰囲気温度検知センサが検知する温度が所定温度以上の時、目標沸き上げ温度を当初設定されている温度より低い温度に再設定するものである。
【０００８】
また、請求項３では、前記制御基板は、目標沸き上げ温度を再設定後、前記基板雰囲気温度検知センサが検知する温度が所定温度以上の時、換気扇が故障していると判断して運転を停止し、異常を報知するものである。
【発明の効果】
【０００９】
この発明の請求項１によれば、換気扇による機内冷却運転を機内温度検知センサの検知温度により制御し、制御基板の近傍に設けられた基板雰囲気温度検知センサの検知温度により温度の異常を判定するので、機内温度検知センサが故障しても基板雰囲気温度検知センサが制御基板の周辺温度を検知して異常が発生していると判断するので、機内温度検知センサが故障しても制御基板が熱で故障するのを防止するための対処を行えるものである。
【００１０】
又、基板雰囲気温度検知センサが故障しても機内温度検知センサが機内の高温を検知して換気扇による機内冷却運転を行い、それでも機内温度検知センサが高温を検知したら、異常が発生していると判断するので、基板雰囲気温度検知センサが故障しても制御基板が熱で故障するのを防止するための対処を行えるものである。
【００１１】
又、請求項２によれば、前記基板雰囲気温度検知センサが制御基板の周辺温度を検知して暖房用缶体の目標沸き上げ温度を下げる制御を行なうので、制御基板の周辺温度が高温でも直ちに停止せず、制御基板を熱により故障させずに使い勝手の悪化を低減できるものである。
【００１２】
又、請求項３によれば、前記目標沸き上げ温度を再設定後、前記基板雰囲気温度検知センサが検知する温度が所定温度以上の時、換気扇が故障していると判断して運転を停止し、異常を報知するので、機内温度検知センサが故障しても基板雰囲気温度検知センサが制御基板の周辺温度を検知して暖房用缶体の目標沸き上げ温度を下げ、それでも基板雰囲気温度検知センサが高温を検知したら、換気扇が故障しているという異常が発生していると判断してバーナ部の燃焼運転を停止するので、機内温度検知センサが故障しても制御基板が熱で故障するのを防止できるものである。
【００１３】
又、基板雰囲気温度検知センサが故障しても機内温度検知センサが機内の高温を検知して換気扇による機内冷却運転を行い、それでも機内温度検知センサが高温を検知したら、換気扇が故障しているという異常が発生していると判断してバーナ部の燃焼運転を停止するので、基板雰囲気温度検知センサが故障しても制御基板が熱で故障するのを防止できるものである。
【００１４】
又、制御基板の周辺温度を検知する基板雰囲気温度検知センサの検知温度により換気扇の故障判断を行なうので、換気扇の故障判断を行なうための専用の検知手段が不要となり、コストアップすることなく換気扇の故障判断を行なうことができるものである。
【図面の簡単な説明】
【００１５】
【図１】この発明一実施例を付した燃焼装置の概略構成図。
【図２】同機内冷却運転のフローチャート図。
【発明を実施するための形態】
【００１６】
次に、この発明の一実施形態を図面に基づいて説明する。
１は下部に加熱用のバーナ部２を備える燃焼室３を形成した暖房用缶体で、この缶体１内方には蛇管による間接加熱式の給湯用の熱交換器を構成する給湯用熱交換器４と、蛇管による間接加熱式の風呂焚き用の熱交換器を構成する風呂用熱交換器５とを上下に配設し、温水暖房を行うと共に給湯及び風呂焚きを同時またはそれぞれ単独でも行えるようにしたものである。
【００１７】
先ず、暖房回路Ａについて説明すると、６は暖房往き管、７は例えば床暖房パネル等の暖房用放熱器、８は暖房戻り管、９は暖房用循環ポンプ、１０は気液分離器、１１は暖房用膨張タンク、１２は開閉弁１３が設けられた暖房バイパス管、１４は暖房用缶体１の温度制御に用いる缶体温度センサで、暖房用缶体１にてバーナ部２の燃焼で缶体温度センサ１４の目標沸き上げ温度（８５℃）まで加熱された熱媒体が、暖房用循環ポンプ９により暖房往き管６を介して暖房用放熱器７に送られて暖房を行い、暖房用放熱器７で放熱した低温水（約３０℃〜５０℃程度）が暖房戻り管８を介して暖房用缶体１に戻り再度目標沸き上げ温度まで加熱されて循環するものである。
【００１８】
次に給湯回路Ｂについて説明すると、１５は水道に接続された給水管、１６は水の流量を検知する流量センサ、１７は給湯用熱交換器４で加熱された温水を出湯する給湯管、１８は給湯栓、１９はミキシング弁２０を介して給湯管１７に接続され給水管１５と給湯管１７とを連通する給湯バイパス管、２１は給湯栓１８の閉止時の熱膨張を吸収する給湯用膨張タンク、２２は給水温度センサ、２３は給湯温度センサで、給湯栓１８が開かれて流量センサ１６が最低作動流量を検知すると、暖房用缶体１内の熱媒体の温度を約８８℃程度の高温に維持するようバーナ部２で燃焼を行い、給水管１５からの冷水が給湯用熱交換器４で暖房用缶体１内の高温の熱媒体により間接加熱され、ミキシング弁２０で水道水と混合され適温に調節されて給湯栓１８から給湯されるものである。
【００１９】
２４は給湯管用凍結防止ヒータで、通電されることにより発熱し、給湯管１７内の水が凍結するのを防止するものであり、２５は給水管用凍結防止ヒータで、通電されることにより発熱し、給水管１５内の水が凍結するのを防止するものである。
【００２０】
次に風呂回路Ｃについて説明すると、２６は風呂浴槽、２７は風呂往き管、２８は風呂戻り管、２９は風呂戻り管２８に設けられた風呂循環ポンプ、３０は循環の有無を検知する流水スイッチ、３１は風呂温度センサで、浴槽２６内の湯の沸かし上げ要求があると、浴槽２６内の湯を風呂循環ポンプ２９で風呂用熱交換器５に循環させ、浴槽２６内の湯が暖房用缶体１内の高温の熱媒体により間接加熱されることで浴槽２６内の湯を適温まで沸かし上げたり保温したりするものである。
【００２１】
そして、３２は給湯回路Ｂの給湯管１７から分岐されて風呂回路Ｃに湯張り弁３３及び三方弁３４を介して接続される湯張り管で、風呂の湯張り要求があると三方弁３４を風呂回路Ｃと湯張り管３２とを連通するよう切り換えると共に湯張り弁３３を開弁し、給湯用熱交換器４で加熱された湯を風呂回路Ｃ内に流入させて風呂浴槽２６への一定量の湯張りを行うものである。
【００２２】
３５は風呂回路用三方弁で、風呂往き管２７に設けられ、一端が風呂戻り管２８の風呂循環ポンプ２９と三方弁３４との間に接続されている風呂バイパス管３６の他端が接続されているものである。
【００２３】
３７は風呂配管用凍結防止ヒータで、通電されることにより発熱し、風呂回路内の水が凍結するのを防止するものであり、該風呂配管用凍結防止ヒータ３７の熱が風呂往き管２７から風呂用熱交換器５を介して暖房用缶体１内の熱媒体に伝熱する位置である、風呂用熱交換器５と風呂往き管２７の接続部分近傍の風呂往き管２７に設けられているものである。
【００２４】
ここで、３８は暖房用缶体１の上下部を結ぶ連通パイプ、３９はこの連通パイプ３８途中に備えられた撹拌用循環ポンプで、給湯時または風呂運転時に駆動して、暖房用缶体１内の温度を上下均一化させるもので、給湯または風呂運転が終了するまで継続駆動して撹拌を行うものである。
尚、暖房運転時は暖房用循環ポンプ９が駆動されているため、撹拌用循環ポンプ３９は駆動しないようにすることも可能である。
４０は機内温度検知センサで、上記各部を収納する枠体４１内に備えられ、この枠体４１内の温度を検知するものである。
【００２５】
４２は換気扇で、枠体４１内の空気を枠体４１外に排気するものである。
４３は制御基板で、枠体４１内に設けられ、各回路の運転やバーナ部２の燃焼制御、異常発生時の停止や枠体４１内の空気の換気などを行なうものである。
４４は基板雰囲気温度検知センサで、前記制御基板４３の近傍に設けられ、制御基板４３周辺の空気の温度を検知するものである。
【００２６】
次にこの一実施形態の作動について説明する。
先ず、暖房運転を説明すれば、缶体温度センサ１４が暖房用缶体１内の温度を検知し、この温度が高温暖房負荷の場合は約８０℃、低温暖房負荷の場合は約６０℃になるようにバーナ部２の燃焼を制御すると共に、暖房用循環ポンプ９を駆動して暖房用缶体１内の高温となった温水や循環液や不凍液等の熱媒体を暖房用放熱器７に流通し、再び暖房用缶体１に戻す循環を繰り返して、暖房用放熱器７によって室内の暖房を行うものである。
【００２７】
次に給湯運転は、暖房運転が行われている場合には既に暖房用缶体１内が高温となっているので、給湯栓１８が開かれれば給水管１５からの低温の水は直ぐに給湯用熱交換器４で暖房用缶体１内の高温の熱媒体により間接加熱されると同時に、撹拌用循環ポンプ３９を駆動し連通パイプ３８を介して缶体１の下部にある湯を缶体１上部に供給して暖房用缶体１の撹拌を行い暖房用缶体１内の上と下の温度差をなくし、常に同一の熱交換効率で熱交換できるようにして所望の温度の湯が供給されるものである。
【００２８】
次に風呂運転は、図示しないリモコンの風呂保温スイッチをＯＮした等の浴槽２６内の湯の沸かし上げ要求があると、風呂用循環ポンプ２９を駆動して浴槽２６内の湯を風呂用熱交換器５に循環させて、高温に保持された暖房用缶体１内の熱媒体で加熱して浴槽２６内の湯を所望の温度に追い焚きしたり保温したりするもので、風呂温度センサ３１が所望の温度を検知すると自動的に停止されるものである。
【００２９】
次に風呂回路Ｃでの凍結防止運転は、外気温が下がり枠体４１内の温度が低下し、機内温度検知センサ４０が０℃未満を検知した時、風呂循環ポンプ２９を常時ＯＮして駆動すると共に、風呂配管用凍結防止ヒータ３７を常時ＯＮして通電した状態にするものである。
【００３０】
そして、機内温度検知センサ４０の検知温度が５℃より高い温度を検知した時、風呂循環ポンプ２９を常時ＯＦＦして停止すると共に、風呂配管用凍結防止ヒータ３７を常時ＯＦＦして非通電の状態にして凍結防止運転を終了するものである。
【００３１】
次に機内冷却運転を図２に示すフローチャートに従って説明すれば、まず運転スイッチがＯＮされると（Ｓ１）、制御基板４３は暖房用缶体１の目標沸き上げ温度を通常設定温度の８５℃に設定し（Ｓ２）、バーナ部２の燃焼運転を開始する。（Ｓ３）
【００３２】
次に機内温度検知センサ４０の検知温度が制御基板４３の耐熱温度、例えば６０℃以上かを判定し（Ｓ４）、機内温度検知センサ４０の検知温度が制御基板４３の耐熱温度の６０℃以上の時、機内冷却運転が必要と判断して換気扇４２をＯＮして枠体４１内の空気を枠体４１外に排気する機内冷却運転を開始する。（Ｓ５）
【００３３】
そして制御基板４３内のタイマ（図示せず）をスタートさせ（Ｓ６）、タイマの計時時間が所定時間、例えば１０分経過したとき（Ｓ７）、再度機内温度検知センサ４０の検知温度が６０℃以上かを判定し（Ｓ８）、機内温度検知センサ４０の検知温度が６０℃以上の時、換気扇４２による機内冷却運転では枠体４１内の温度を低下できない異常が発生していると判断して（Ｓ９）、バーナ部２の燃焼運転を停止し（Ｓ１０）、操作部（図示せず）の表示部（図示せず）に異常発生を表示して異常を報知する。（Ｓ１１）
【００３４】
又、（Ｓ８）で機内温度検知センサ４０の検知温度が６０℃未満の時は、機内温度検知センサ４０の検知温度が機内冷却後温度、例えば５０℃未満かを判定し（Ｓ１２）、検知温度が５０℃以上であれば（Ｓ８）に戻り、検知温度が５０℃未満の場合は機内冷却が完了したと判断して、換気扇４２を停止して機内冷却運転を終了する。（Ｓ１３）
【００３５】
尚、機内冷却後温度は機内冷却運転で換気扇４２をＯＮして枠体４１内の空気を枠体４１外に排気したときに低下する温度で、本実施例の場合は機内冷却運転で約１０℃温度が下がることから、機内冷却運転を開始するかしないかの判定温度である６０℃から１０℃低い５０℃を機内冷却後温度としているものである。
【００３６】
次に（Ｓ１３）で換気扇を停止して機内冷却運転を終了した後、又は、（Ｓ４）で機内温度検知センサ４０の検知温度が制御基板４３の耐熱温度の６０℃未満の時、基板雰囲気温度検知センサ４４の検知温度が制御基板４３の耐熱温度、例えば６０℃以上かを判定し（Ｓ１４）、基板雰囲気温度検知センサ４４の検知温度が６０℃未満の時は（Ｓ４）に戻り、検知温度が６０℃以上の時は換気扇４２が故障していて正常に機内冷却運転が行なわれていないという異常が発生していると判断して（Ｓ１５）、枠体４１内の温度を下げるために暖房用缶体１の目標沸き上げ温度を通常設定温度の８５℃から換気扇故障時設定温度の７５℃に設定する。（Ｓ１６）
【００３７】
そして制御基板４３内のタイマ（図示せず）をスタートさせ（Ｓ１７）、タイマの計時時間が所定時間、例えば１０分経過したとき（Ｓ１８）、再度基板雰囲気温度検知センサ４４の検知温度が制御基板４３の耐熱温度の６０℃以上かを判定し（Ｓ１９）、基板雰囲気温度検知センサ４４の検知温度が６０℃以上の時、暖房用缶体１の目標沸き上げ温度を換気扇故障時設定温度に下げても枠体４１内の温度を低下できずこのままでは制御基板４３が破損すると判断して（Ｓ９）に戻るものである。
【００３８】
又、（Ｓ１９）で基板雰囲気温度検知センサ４４の検知温度が６０℃未満の時は、基板雰囲気温度検知センサ４４の検知温度が機内冷却後温度、例えば５０℃未満かを判定し（Ｓ２０）、検知温度が５０℃以上であれば再び６０℃以上になる可能性があるので（Ｓ１９）に戻り、検知温度が５０℃未満の場合は暖房用缶体１の目標沸き上げ温度を換気扇故障時設定温度に下げれば、枠体４１内の温度が制御基板４３が破損する温度にならずそのまま燃焼運転が可能と判断して（Ｓ４）に戻るものである。
【００３９】
上記のように換気扇４２による機内冷却運転を機内温度検知センサ４０の検知温度により制御し、換気扇４２の故障判断を制御基板４３の近傍に設けられた基板雰囲気温度検知センサ４４の検知温度により判定するので、機内温度検知センサ４０が故障しても基板雰囲気温度検知センサ４４が制御基板４３の周辺温度を検知して暖房用缶体１の目標沸き上げ温度を下げ、それでも基板雰囲気温度検知センサ４４が高温を検知したら、異常が発生していると判断してバーナ部２の燃焼運転を停止するので、機内温度検知センサ４０が故障しても制御基板４３が熱で故障するのを防止でき、又、基板雰囲気温度検知センサ４４が制御基板４３の周辺温度を検知して暖房用缶体１の目標沸き上げ温度を下げる制御を行なうことで、制御基板４３の周辺温度が高温でも直ちに停止せず、使い勝手の悪化を低減できるものである。
【００４０】
又、基板雰囲気温度検知センサ４４が故障しても機内温度検知センサ４０が機内の高温を検知して換気扇４２による機内冷却運転を行い、それでも機内温度検知センサ４０が高温を検知したら、異常が発生していると判断してバーナ部２の燃焼運転を停止するので、基板雰囲気温度検知センサ４４が故障しても制御基板４３が熱で故障するのを防止できるものである。
【００４１】
又、制御基板４３の周辺温度を検知する基板雰囲気温度検知センサ４４の検知温度により換気扇４２の故障判断を行なうので、換気扇４２の故障判断を行なうための専用の検知手段が不要となり、コストアップすることなく換気扇４２の故障判断を行なうことができるものである。
【００４２】
尚、本実施例は１缶３回路式給湯装置で説明したがこれに限定されず、枠体４１内に高温の熱媒体や温水を貯湯する缶体を有すると共に、制御基板４３を枠体４１内に設け、換気扇４２にて枠体４１内の機内冷却運転を行うものであればよいものである。
【符号の説明】
【００４３】
１  缶体
２  バーナ部
４０  機内温度検知センサ
４１  枠体
４２  換気扇
４３  制御基板
４４  基板雰囲気温度検知センサ
【図１】
2019052813.tif 000003
【図２】
2019052813.tif 000004